(57)【要約】      （修正有）【課題】設置姿勢が変わった場合でも、外観を維持できる印刷装置を提供する。【解決手段】プリンターは記録媒体の排出口を備える媒体排出面６ａを有する直方体形状のケースを備える。また、プリンターは、媒体排出面６ａとは異なる第１面を被うケースの第１取り付け部２３、および、媒体排出面６ａおよび第１面とは異なる第２面を被うケースの第２取り付け部２４に着脱可能であって、第１取り付け部２３および第２取り付け部２４のいずれか一方に取り付けられる第１カバー３１と、第１取り付け部２３および第２取り付け部２４に着脱可能であって、第１取り付け部２３および第２取り付け部２４の他方に取り付けられて第１面および第２面のうち第１カバー３１により被われていない面を被う第２カバー５１を有する。【選択図】図３
2016117218.tif 000002
【特許請求の範囲】
【請求項１】
内部に記録媒体を収容する収容部を備えるケースと、
前記ケースの第１面を被う第１取り付け部および当該ケースの前記第１面とは異なる第２面を被う第２取り付け部に着脱可能であり、前記第１取り付け部および前記第２取り付け部の一方に装着された第１カバーと、
を有することを特徴とする印刷装置。
【請求項２】
請求項１において、
前記第１取り付け部および前記第２取り付け部に着脱可能なカバーであって、前記第１取り付け部および前記第２取り付け部の他方に装着されて、前記ケースの前記第１カバーにより被われていない面を被う第２カバーを有することを特徴とする印刷装置。
【請求項３】
請求項２において、
前記第１面と前記第２面とは、隣り合っており、
前記第１カバーと前記第２カバーとは一体に形成されていることを特徴とする印刷装置。
【請求項４】
記録媒体を排出する排出口を備える媒体排出面を有する直方体形状のケースと、
前記媒体排出面とは異なる第１面を被う前記ケースの第１取り付け部、および、前記媒体排出面および前記第１面とは異なる第２面を被う前記ケースの第２取り付け部に着脱可能であり、前記第１取り付け部および前記第２取り付け部の一方に取り付けられた第１カバーと、
前記第１取り付け部および前記第２取り付け部に着脱可能であり、前記第１取り付け部および前記第２取り付け部の他方に取り付けられて前記第１面および前記第２面のうち前記第１カバーにより被われていない面を被う第２カバーと、
を有することを特徴とする印刷装置。
【請求項５】
請求項４において、
前記第１面は、前記媒体排出面に対向する面であり、
前記第２面は、前記媒体排出面と前記第１面との間の面であることを特徴とする印刷装置。
【請求項６】
請求項５において、
前記ケースは、前記第１面に、前記第２面の側から切り欠いて設けた切欠凹部を備え、
前記切欠凹部の内壁部分には、ケーブルを接続するためのコネクターが取り付けられていることを特徴とする印刷装置。
【請求項７】
請求項６において、
前記第２面には、シールを貼り付ける目印となる段差が形成されていることを特徴とする印刷装置。
【請求項８】
請求項７において、
前記第１カバーおよび前記第２カバーのいずれか一方には、ケースに取り付けられたときに外側を向く面に、複数の弾性部材が貼り付けられていることを特徴とする印刷装置。
【請求項９】
請求項４において、
前記第１カバーおよび前記第２カバーは一体に形成されていることを特徴とする印刷装置。
【発明の詳細な説明】
【技術分野】
【０００１】
本発明は、記録紙の排出口を上方に向けた姿勢または側方に向けた姿勢で設置できる印刷装置に関する。
【背景技術】
【０００２】
店舗の会計端末に接続されて使用されるプリンターとしてはロール紙プリンターが知られている。特許文献１に記載のロール紙プリンターはケース本体と蓋体からなるケースを備える。ケース本体は、箱型であり、内側にロール紙を収納するロール紙収納部を備える。蓋体はケース本体に回動可能に取り付けられており、ロール紙収納部の開口（ロール紙投入口）を開閉する。ケース本体と蓋体との間の隙間には、ロール紙から繰り出される長尺状の記録紙を排出する排出口が設けられている。
【０００３】
このようなプリンターは、ケースにおいて排出口が設けられた記録紙排出面を上方に向けた第１姿勢で設置される場合と、この記録紙排出面を側方に向けた第２姿勢で設置される場合がある。第１姿勢でプリンターを設置した場合には、記録紙は上方に向って排出される。ロール紙をロール紙収納部に装填する際には、開閉扉を上方に向って回動させてロール紙収納部を開放状態とする。一方、第２姿勢でプリンターを設置した場合には、記録紙は側方に向って排出される。ロール紙をロール紙収納部に装填する際には、開閉扉を側方に向って回動させてロール紙収納部を開放状態とする。特許文献１に記載のプリンターでは、プリンターの設置姿勢を変更させた場合に、電源ケーブルなど外部のケーブルを接続するコネクターを備える接続部の向きを切り換えることができる。
【先行技術文献】
【特許文献】
【０００４】
【特許文献１】特開２０１２−１９６７８２号公報
【発明の概要】
【発明が解決しようとする課題】
【０００５】
プリンターの設置姿勢を変更すると、第１姿勢で底面であった面が側面となり、側面であった面が底面となる。ここで、第１姿勢の底面にコネクターを備える接続部が設けられている場合には、プリンターを第２姿勢としたときに接続部が側面に移動する。この結果、接続部が外部から見える状態となり、プリンターの美観が損なわれることがある。また、底面に、ゴムなどの弾性部材からなる脚部が設けられている場合には、この脚部が側面に移動する。この結果、プリンターが設置場所において、滑りやすくなる。
【０００６】
本発明の課題は、かかる点に鑑みて、設置姿勢が変わった場合でも外観を維持できる印刷装置を提供することにある。また、設置姿勢が変わった場合でも設置場所において滑ることがない印刷装置を提供することにある。
【課題を解決するための手段】
【０００７】
上記の課題を解決するために、本発明の印刷装置は、内部に記録媒体を収容する収容部を備えるケースと、前記ケースの第１面を被う第１取り付け部および当該ケースの前記第１面とは異なる第２面を被う第２取り付け部に着脱可能であり、前記第１取り付け部および前記第２取り付け部の一方に装着された第１カバーと、を有することを特徴とする。
【０００８】
本発明によれば、第１カバーによってケースの２つの面のいずれか一方を選択的に被うことができる。従って、プリンターの設置姿勢を変更したときに、それまで底面となっていた面が背面となるような場合に、新たに背面となる面を第１カバーで被って、プリンターの外観を維持できる。或いは、プリンターの設置姿勢を変更したときに、それまで側面となっていた面が底面となるような場合に、新たに底面となる面を、脚部となる弾性部材を備える第１カバーで被って、プリンターが滑ることを防止できる。
【０００９】
本発明において、前記第１取り付け部および前記第２取り付け部に着脱可能なカバーであって、前記第１取り付け部および前記第２取り付け部の他方に装着されて、前記ケースの前記第１カバーにより被われていない面を被う第２カバーを有することが望ましい。このようにすれば、プリンターの設置姿勢を変更したときに、それまで側面となっていた面が底面となり、それまで底面となっていた面が側面となるような場合に、新たに底面となる面を第１カバーおよび第２カバーの一方で被い、新たに側面となる面を第１カバーおよび第２カバーの一方で被うことができる。
【００１０】
この場合において、前記第１面と前記第２面とは、隣り合っており、前記第１カバーと前記第２カバーとは一体に形成されているものとすることができる。このようにすれば、ケースの隣り合う面を、第１カバーと第２カバーを一体とした一つのカバーで一度に被うことができる。
【００１１】
次に、本発明の印刷装置は、記録媒体を排出する排出口を備える媒体排出面を有する直方体形状のケースと、前記媒体排出面とは異なる第１面を被う前記ケースの第１取り付け部、および、前記媒体排出面および前記第１面とは異なる第２面を被う前記ケースの第２取り付け部に着脱可能であり、前記第１取り付け部および前記第２取り付け部の一方に取り付けられた第１カバーと、前記第１取り付け部および前記第２取り付け部に着脱可能であり、前記第１取り付け部および前記第２取り付け部の他方に取り付けられて前記第１面および前記第２面のうち前記第１カバーにより被われていない面を被う第２カバーと、を有することを特徴とする。
【００１２】
本発明によれば、第１カバーによってケースの第１面および第２面の一方を選択的に被うことができ、第２カバーによって第１面および第２面の他方を被うことができる。従って、印刷装置の底面を第１カバーで被い、背面を第２カバーで覆うことができる。また、設置姿勢を変更して、それまで底面であった面を新たな背面とし、それまで背面であった面を新たな底面とする場合には、新たに底面となった面を第１カバーで被い、新たに背面となった面を第２カバーで被うことができる。従って、プリンターの外観を維持できる。
【００１３】
この場合において、前記第１面は、前記媒体排出面に対向する面であり、前記第２面は、前記媒体排出面と前記第１面との間の面とすることができる。すなわち、排出口を上方に向けて印刷装置を設置する場合に底面となる面を第１面とし、側面となる面を第２面とすることができる。
【００１４】
本発明において、前記ケースは、前記第１面に、前記第２面の側から切り欠いて設けた切欠凹部を備え、前記切欠凹部の内壁部分には、ケーブルを接続するためのコネクターが取り付けられているものとすることができる。このようにすれば、第１カバーまたは第２カバーによって切欠凹部を被うことができる。また、コネクターに外部のケーブルを接続した場合には、切欠凹部内でケーブルを引き回した後に、第１面と第２面の間から外部に引き出すことが可能となる。従って、ケースに取り付けられた第１カバーと第２カバーとの間からケーブルを外部に引き出すことができる。
【００１５】
本発明において、前記第２面には、シールを貼り付ける目印となる段差が形成されているものとすることができる。このようにすれば、第１カバーまたは第２カバーによって、ケースに貼り付けられたシールを被い隠すことができる。
【００１６】
本発明において、前記第１カバーおよび前記第２カバーのいずれか一方には、ケースに取り付けられたときに外側を向く面に、複数の弾性部材が貼り付けられていることが望ましい。この場合、設置姿勢によって底面となる面に弾性部材が取りつけられている側のカバーを取り付ければ、印刷装置を設置する設置面に傷が付くことを防止できる。また、底面となる面に弾性部材が取りつけられている側のカバーを取り付ければ、プリンターが設置場所において滑ることを防止できる。
【００１７】
本発明において、前記第１カバーおよび前記第２カバーは一体に形成されているものとすることができる。このようにすれば、ケースにおいて隣り合う第１面および第２面を、第１カバーと第２カバーを一体とした一つのカバーで一度に被うことができる。
【図面の簡単な説明】
【００１８】
【図１】本発明のプリンターを第１姿勢で設置した場合の斜視図である。
【図２】図１のプリンターの概略断面図である。
【図３】底面カバーおよび背面カバーを取り外したプリンターの斜視図である。
【図４】底面カバーの斜視図である。
【図５】背面カバーの斜視図である。
【図６】本発明のプリンターを第２姿勢で設置した場合の斜視図である。
【図７】複合カバーの斜視図である。
【発明を実施するための形態】
【００１９】
以下に図面を参照して本発明の実施の形態にかかるプリンターを説明する。
【００２０】
（全体構成）
図１（ａ）は本発明の実施の形態に係るプリンターを記録紙の排出口が上方に向く第１姿勢で設置した状態を前方の斜め上方から見た場合の斜視図であり、図１（ｂ）は第１姿勢のプリンターを後方の斜め下方から見た場合の斜視図である。図２は第１姿勢で設置したプリンターの概略断面図である。図２では第１カバーおよび第２カバーを取り外してある。図３は第１姿勢で設置したプリンターから第１カバーおよび第２カバーを取り外した状態を後方の斜め下方から見た場合の斜視図である。
【００２１】
本例のプリンター１はロール紙２から繰り出される長尺状の記録紙３に印刷を行うロール紙プリンターである。プリンター１は記録紙３の排出口５を上方に向けた第１姿勢１Ａ（図１参照）と、記録紙３の排出口５を前方に向けた第２姿勢１Ｂのいずれかの姿勢（図６参照）で設置可能である。以下では、第１姿勢１Ａを基準の設置姿勢として、第１姿勢１Ａに基づいて各部材の配置を説明する。また、第１姿勢１Ａを基準として、互いに直交する方向をプリンター幅方向Ｘ、プリンター前後方向Ｙ、プリンター上下方向Ｚとして説明する。
【００２２】
図１（ａ）に示すように、プリンター１は全体として直方体形状をしたプリンターケース６を備える。プリンターケース６の上面（媒体排出面）６ａの前側部分（プリンター前後方向Ｙの前側部分）には記録紙３を排出するための排出口５が設けられている。排出口５はプリンター幅方向Ｘに延びている。プリンターケース６は、箱型のケース本体と、ケース本体に上方から被せられた開閉扉７を備える。ケース本体は内部にロール紙収納部８（図２参照）を備えており、開閉扉７はロール紙収納部８のロール紙投入口９を上方（プリンター上下方向Ｚの上方）から封鎖している。
【００２３】
開閉扉７は排出口５の後方（プリンター前後方向Ｙの後方）に設けられている。開閉扉７の側方には開閉レバー１０が設けられている。開閉レバー１０の後方には電源スイッチ１１が設けられている。開閉レバー１０を操作すると開閉扉７のロックを解除することができる。ロックが解除されると、開閉扉７は、その後端部分においてプリンター幅方向Ｘに延びる回動軸回りに、回動可能となる。開閉扉７は図１に示すように平伏した姿勢でロール紙投入口９を封鎖する封鎖位置７Ａと、図２に点線で示すように、起立した姿勢でロール紙投入口９を開放状態とする開放位置７Ｂとの間を移動する。
【００２４】
図２に示すように、プリンターケース６の内部には、ロール紙収納部８から印刷ヘッド１５による印刷位置Ａを経由して排出口５に至る記録紙３の搬送路１６が設けられている。印刷ヘッド１５はサーマルヘッドである。印刷位置Ａは印刷ヘッド１５と対峙するプラテンローラー１７によって規定されている。プラテンローラー１７には搬送モーター（不図示）の回転駆動力が伝達される。記録紙３は搬送路１６に沿ってセットされる。プリンター１は、搬送モーターの駆動によりプラテンローラー１７を回転させて、記録紙３を一定速度で搬送する。また、プリンター１は、印刷ヘッド１５を駆動して、印刷位置Ａを搬送される記録紙３に印刷を行う。
【００２５】
プリンターケース６の底側部分には、図１（ｂ）に示すように、底面カバー（第１カバー）３１が着脱可能に取り付けられている。底面カバー３１はプリンターケース６の底面に対応する矩形の底板部３２を備えており、プリンターケース６の底面６ｂを下方から被う。底面カバー３１における底板部３２の外側面の四隅には、プリンター１の脚部となる弾性部材３３が貼り付けられている。また、底面カバー３１は底板部３２の外周縁部分に複数の貫通孔３４を備える。貫通孔３４は、上方を向いた排出口５からプリンターケース６内に侵入した水滴がプリンターケース６から下方に流れ出た場合に、この水滴を底面カバー３１から下方に逃がすための排水口である。
【００２６】
プリンターケース６の後側部分には、背面カバー５１（第２カバー）が着脱可能に取り付けられている。背面カバー５１はプリンターケース６の背面６ｃと対応する矩形の背板部５２を備え、プリンターケース６の背面６ｃを後方から被う。底面カバー３１と背面カバー５１とは、プリンターケース６の底面６ｂと背面６ｃとが交差する角部６ｄの下方で当接して連続しており、角部６ｄを下方および後方から被っている。背面カバー５１の下端縁には、プリンター幅方向Ｘの中央部分にケーブル引き出し口５３が設けられている。
【００２７】
ここで、図３に示すように、底面カバー３１および背面カバー５１をプリンターケース６から取り外した状態では、プリンター１の底面６ｂに形成された切欠凹部１８と背面６ｃに貼り付けられたシール１９が露出する。
【００２８】
すなわち、プリンターケース６は、底面カバー３１によって被われた底面６ｂに、背面６ｃの側から当該底面６ｂを切り欠いて設けた切欠凹部１８を備える。切欠凹部１８の内壁部分１８ａには、電源ケーブルを接続するための電源コネクター、ＬＡＮケーブルを接続するためのＬＡＮコネクター、ＵＳＢケーブルを接続するためのＵＳＢコネクターなど、複数のコネクター２０が取り付けられている。また、プリンターケース６は、背面カバー５１によって被われた背面６ｃに、浅い矩形の凹部２１を備える。凹部２１にはプリンター１の製品番号などを記載したシール１９が貼り付けられている。凹部２１の段差２１ａはシール１９を貼り付ける位置を示す目印である。
【００２９】
図３に示すように、プリンターケース６において、プリンター幅方向Ｘの左右の側面６ｅ、６ｆには、その底面６ｂの側の端縁に、底面カバー３１を装着するための第１取り付け部２３が設けられている。また、左右の側面６ｅ、６ｆには、その背面６ｃの側の端縁に、背面カバー５１を装着するための第２取り付け部２４が設けられている。
【００３０】
第１取り付け部２３は、左右の側面６ｅ、６ｆの底面６ｂの側の端縁に形成された段部である。段部は各側面６ｅ、６ｆから僅かに後退している（窪んでいる）。段部はプリンター前後方向Ｙに一定幅で延びている。段部にはケース側係合部２５が設けられている。
【００３１】
第２取り付け部２４は、左右の側面６ｅ、６ｆの背面６ｃの側の端縁に形成された段部である。段部は各側面６ｅ、６ｆから僅かに後退している（窪んでいる）。段部はプリンター上下方向Ｚに一定幅で延びている。段部にはケース側係合部２６が設けられている。
【００３２】
また、プリンターケース６の左右の側面６ｅ、６ｆにおいて第１取り付け部２３と第２取り付け部２４が交差する角部分には、半円形の切欠部２７、２８が設けられている。各切欠部２７、２８は切欠凹部１８に連通している。ここで、各コネクター２０に接続されたケーブルは底面カバー３１によって被われた状態の切欠凹部１８内を引き回される。そして、当該切欠部２７、２８、或いは、背面カバー５１に設けられたケーブル引き出し口５３を介して外部に引き出される。
【００３３】
（底面カバーおよび背面カバー）
図４（ａ）は底面カバー３１をプリンターケース６に対向する内側面の側から見た場合の斜視図であり、図４（ｂ）は底面カバー３１をプリンターケース６とは反対側に位置する外側面の側から見た場合の斜視図である。底面カバー３１は、矩形の底板部３２と、底板部３２の幅方向の両端縁から底板部３２と直交する方向に立ち上がる一対の取り付け板部３５を備える。一対の取り付け板部３５の内側面には、それぞれカバー側係合部３６が設けられている。ここで、底板部３２は、取り付け板部３５が立ち上がっている側の面がプリンターケース６と対向する内側面であり、その反対側の面が外側面である。また、底板部３２の幅方向、すなわち、一対の取り付け板部３５の対向方向は、プリンター幅方向Ｘに対応する。従って、一対の取り付け板部３５の対向方向と直交する直交方向は、プリンター前後方向Ｙに対応する。
【００３４】
各取り付け板部３５におけるプリンター前後方向Ｙの後端部分には、切欠部３５ａが設けられている。底板部３２の外側面の四隅には、それぞれ矩形の弾性部材３３が取り付けられている。底板部３２において取り付け板部３５に連続する周縁部分には、複数の貫通孔３４が設けられている。底板部３２におけるプリンター前後方向Ｙの後端縁部分には、後方に突出する突部３７が設けられている。突部３７は幅方向で間隔した位置に２つ設けられている。
【００３５】
図５（ａ）は背面カバー５１をプリンターケース６に対向する内側面の側から見た場合の斜視図であり、図５（ｂ）は背面カバー５１をプリンターケース６とは反対側に位置する外側面の側から見た場合の斜視図である。矩形の背板部５２と背板部５２の幅方向の両端縁から背板部５２と直交する方向に立ち上がる一対の取り付け板部５４を備える。一対の取り付け板部５４の内側面には、それぞれカバー側係合部５５が設けられている。背面カバー５１の取り付け板部５４と底面カバー３１の取り付け板部３５は対応する形状を備える。ここで、背板部５２は、取り付け板部５４が立ち上がっている側の面が、プリンターケース６と対向する内側面であり、その反対側の面が外側面である。また、背板部５２の幅方向、すなわち、一対の取り付け板部５４の対向方向は、プリンター幅方向Ｘに対応する。従って、一対の取り付け板部５４の対向方向と直交する直交方向は、プリンター上下方向Ｚに対応する。
【００３６】
背面カバー５１は、背板部５２の下端縁から一対の取り付け板部５４と同一方向（前方）に立ち上がる連結板部５６を備える。連結板部５６における背板部５２の側の内側面には、底面カバー３１の各突部３７が嵌合可能な２つの溝部５７が設けられている。各溝部５７は、連結板部５６の内側面において連結板部５６の立ち上がり方向に延びる２本のリブによって形成されている。
【００３７】
各取り付け板部５４における連結板部５６の側の端部分には切欠部５４ａが設けられている。また、連結板部５６には、プリンター幅方向Ｘの中央部分に、ケーブル引き出し口５３が設けられている。ケーブル引き出し口５３は、連結板部５６を背板部５２とは反対の側から切り欠いて設けられている。
【００３８】
ここで、図１および図３に示すように、底面カバー３１は、その一対の取り付け板部３５がプリンターケース６の各第１取り付け部２３の外側に位置するようにしてプリンターケース６に下方から装着される。装着に際して底面カバー３１のカバー側係合部３６はプリンターケース６の各第１取り付け部２３のケース側係合部２５に係止される。
【００３９】
一方、背面カバー５１は、その一対の取り付け板部５４がプリンターケース６の各第２取り付け部２４の外側に位置するようにしてプリンターケース６に後方から装着される。装着に際して背面カバー５１のカバー側係合部５５はプリンターケース６の第２取り付け部２４のケース側係合部２６に係止される。
【００４０】
また、底面カバー３１がプリンターケース６の第１取り付け部２３に取り付けられ、背面カバー５１がプリンターケース６の第２取り付け部２４に取り付けられた状態では、底面カバー３１の突部３７が背面カバー５１の連結板部５６の溝部５７に挿入されて当該溝部５７に嵌合した状態となる。これにより、底面カバー３１と背面カバー５１が連結される。
【００４１】
ここで、底面カバー３１の一対の取り付け板部３５と、背面カバー５１の一対の取り付け板部５４とは、それらに形成されたカバー側係合部３６、５５の位置および形状が対応している。従って、底面カバー３１を第２取り付け部２４に取り付けることが可能であり、かつ、背面カバー５１を第１取り付け部２３に取り付けることが可能である。
【００４２】
（第２姿勢）
図６（ａ）はプリンター１を記録紙３の排出口５が前方を向く第２姿勢１Ｂで設置した状態を前方の斜め上方から見た場合の斜視図であり、図６（ｂ）は第２姿勢１Ｂのプリンターを後方の斜め下方から見た場合の斜視図である。図６（ａ）に示すように、第２姿勢１Ｂのプリンター１は排出口５を側方に向けている。以下では、排出口５が向いている方向をプリンター前後方向Ｙの前方として説明する。また、プリンター１の上下方向（プリンター上下方向Ｚ）を図６の上下方向として説明する。
【００４３】
第２姿勢１Ｂでは、プリンターケース６は、その前面に記録紙３の排出口５を備える。排出口５の下方（プリンター上下方向Ｚの下方）には開閉扉７が設けられている。開閉扉７はロール紙収納部８のロール紙投入口９を前方から封鎖している。開閉扉７の側方には開閉レバー１０が設けられている。開閉レバー１０の下方には電源スイッチ１１が設けられている。開閉レバー１０を操作すると開閉扉７のロックを解除することができる。ロックが解除されると、開閉扉７は、その下端部分においてプリンター幅方向Ｘに延びる回動軸回りに、回動可能となる。開閉扉７は起立した姿勢でロール紙投入口９を封鎖する封鎖位置７Ａと、平伏した姿勢でロール紙投入口９を開放状態とする開放位置７Ｂとの間を移動する。
【００４４】
ここで、第２姿勢１Ｂでは、第１姿勢１Ａにおけるプリンターケース６の底面６ｂが後方を向く背面となる。また、第１姿勢１Ａにおけるプリンターケース６の背面６ｃが下方を向く底面となる。従って、図６（ｂ）に示すように、各種のコネクター２０を備える切欠凹部（接続部）１８は、プリンターケース６の背面を底面の側から切り欠いて設けられた状態となる。また、シール１９は、プリンターケース６の底面に貼り付けられている。さらに、第１取り付け部２３は、左右の側面６ｅ、６ｆの背面の側の端縁でプリンター上下方向Ｚに延びる。第２取り付け部２４は、左右の側面６ｅ、６ｆの底面の側の端縁でプリンター前後方向Ｙに延びる。
【００４５】
また、底面カバー３１は、プリンターケース６の第２取り付け部２４に取り付けられて、プリンターケース６の底面（第１姿勢１Ａにおいて背面６ｃであった面）を下方から被う。すなわち、底面カバー３１は、そのカバー側係合部３６を第２取り付け部２４に設けられたケース側係合部２６に係合させてプリンターケース６に固定される。そして、底面カバー３１は、プリンターケース６の底面に貼り付けられたシール１９を被い隠す。
【００４６】
一方、背面カバー５１は、プリンターケース６の第１取り付け部２３に取り付けられて、プリンターケース６の背面（第１姿勢１Ａにおいて底面６ｂであった面）を後方から被う。すなわち、背面カバー５１は、そのカバー側係合部５５を第１取り付け部２３に設けられたケース側係合部２５に係合させてプリンターケース６に固定される。そして、背面カバー５１は、プリンターケース６の背面に設けられた切欠凹部１８を後方から被う。
【００４７】
また、底面カバー３１と背面カバー５１とは、第２姿勢１Ｂにおけるプリンターケース６の底面と背面とが交差する角部６ｄの下方で当接し、この角部６ｄを下方および後方から被う。底面カバー３１の突部３７は背面カバー５１の連結板部５６の溝部５７に挿入されて当該溝部５７と嵌合し、底面カバー３１と背面カバー５１は連結した状態となる。
【００４８】
ここで、各コネクター２０に接続されたケーブルは背面カバー５１によって被われた状態の切欠凹部１８内を引き回される。そして、当該プリンターケース６の側面６ｅ、６ｆに設けられた切欠部２７、２８、或いは、背面カバー５１に設けられたケーブル引き出し口５３を介して外部に引き出される。
【００４９】
（作用効果）
本例によれば、プリンター１が第１姿勢１Ａで設置された場合でも、第２姿勢１Ｂで設置された場合でも、底面カバー３１によってプリンターケース６の底面となる面を被うことができる。また、背面カバー５１によってプリンターケース６の背面となる面を被うことができる。従って、プリンター１の外観を維持できる。また、設置姿勢の変更によって新たに底面となる面を底面カバー３１で被って、その面に傷がつくことを防止できる。さらに、底面となる面に底面カバー３１を取り付ければ、弾性部材３３によってプリンター１が設置場所において滑ることを防止できる。
【００５０】
また、本例では、設置姿勢に拘らずプリンターケース６の底面を被う底面カバー３１に複数の弾性部材３３が貼り付けられている。従って、設置姿勢が変化した場合でも、プリンター１を設置する設置面に傷が付くことを防止できる。また、設置姿勢に拘わらず、プリンター１が設置場所において滑ることを防止できる。
【００５１】
（変形例）
上記の例において、底面カバー３１と背面カバー５１を一体としてもよい。図７は、底面カバー３１および前記背面カバー５１を一体化した複合カバー６０の斜視図である。図７に示すように、複合カバー６０では、底面カバー３１において突部３７が形成されていた底板部３２の端縁と背面カバー５１の連結板部５６の端縁とが連続するように一体化されている。本例によれば、プリンターケース６において隣り合う底面および背面を一つの複合カバー６０によって一度に被うことができる。
【符号の説明】
【００５２】
１・・プリンター（印刷装置）、１Ａ・・プリンターの第２姿勢、１Ｂ・・プリンターの第２姿勢、２・・ロール紙、３・・記録紙、５・・排出口、６・・プリンターケース（ケース）、６ａ・・上面（媒体排出面）、６ｂ・・底面、６ｃ・・背面、６ｄ・・底面と背面の角部、６ｅ・・側面、７・・開閉扉、７Ａ・・封鎖位置、７Ｂ・・開放位置、８・・ロール紙収納部、９・・ロール紙投入口、１０・・開閉レバー、１１・・電源スイッチ、１５・・印刷ヘッド、１６・・搬送路、１７・・プラテンローラー、１８・・切欠凹部、１８ａ・・内壁部分、１９・・シール、２０・・コネクター、２１・・凹部、２１ａ・・段差、２３・・第１取り付け部、２４・・第２取り付け部、２５・・ケース側係合部、２６・・ケース側係合部、２７・・切欠部、３１・・底面カバー、３２・・底板部、３３・・弾性部材、３４・・貫通孔、３５・・取り付け板部、３５ａ・・切欠部、３６・・カバー側係合部、３７・・突部、５１・・背面カバー、５２・・背板部、５３・・ケーブル引出し口、５４・・取り付け板部、５４ａ・・切欠部、５５・・カバー側係合部、５６・・連結板部、５７・・溝部、６０・・複合カバー、Ａ・・印刷位置、Ｘ・・プリンター幅方向、Ｙ・・プリンター前後方向、Ｚ・・プリンター上下方向
【図１】
2016117218.tif 000003
【図２】
2016117218.tif 000004
【図３】
2016117218.tif 000005
【図４】
2016117218.tif 000006
【図５】
2016117218.tif 000007
【図６】
2016117218.tif 000008
【図７】
2016117218.tif 000009